(57)【要約】【課題】比較的大型の壺・傘立・大鉢・大皿は土ころしを正確にし均一に上に伸ばす事により、目標の型を造る工程の最大の一助となる。【解決手段】  ロクロによる陶磁器成形時に利用するこの土伸ばし棒は、複数角をもち数ミリの太さからハンドル付きの形状、又太く高さを欲する時に使う固定板を要する土伸ばし棒からなり、装置には固定板を受ける腕とそれを支える梁から出来ており腕を二段にすれば大物を造る時にぶれる心配がなく、腕は取り外しができロクロ成形時以外はストッパー付きのキャスターが付いており移動して乾燥棚としても使用できる。【選択図】図１
2006218843.tif 000002
【特許請求の範囲】
【請求項１】
この土伸ばし棒はロクロ上の粘土を回転させ土ころしをし、円錐状の形を造りその内径にあった物に入れる土伸ばし棒である。
【請求項２】
装置１で土伸ばし棒を固定し、手どろと水を差しながら両手の掌でしめ、上方に伸ばせば従来の手で伸ばすやり方より均一の厚さで狂いもなく粘土の量により充分な高さまで伸ばす事ができる装置と土伸ばし棒である。
【請求項３】
土伸ばし棒上部に長方形の上蓋のある容器を取り付け底に大きさに応じ複数の小さな穴を開けスポンジに水を含ませ上蓋を適時に押せば水が適量差す事が出来スムーズに上に押し伸ばす事が出来る。
【請求項４】
土伸ばし棒は樹脂・合成樹脂・金属・合板・木材・セラミック・陶磁器・ガラス・ゴム・紙等の複数の素材から形成し複数角の形状をしている。
【請求項５】
この土伸ばし棒は、長さ数センチから数百センチまで、又太さは数ミリから数百センチまで作る事が出来る。
【請求項６】
水平を保つ為この土伸ばし棒には、上面と上部側面に縦横の水平を埋め込んである。
【請求項７】
この土伸ばし棒の底部の角から複数の高さに複数角の別の角度の底部を備えている。
【請求項８】
この土伸ばし棒は形状が太く長くなると重量が増してロクロに負荷を与え回転が止まる恐れがあるので、土伸ばし棒の中をくり抜き軽量化してある。
【請求項９】
土伸ばし棒には円錐に複数角を付け円柱の粘土の中に逆さに入れれば逆土伸ばし棒として使え、大鉢・大皿造りに適応し角度は複数角からなる。
【請求項１０】
この逆土伸ばし棒は底部から複数の高さに複数角の別の底部を備えている。
【請求項１１】
土伸ばし棒装置のラックは金属・合板・木で造る事が出来る。
【請求項１２】
この装置にはストッパ−付きのキャスタ−が付いており土伸ばし以外に作品の乾燥棚に使用する事が出来、オプションで棚を数段増やす事も出来る。
【発明の詳細な説明】
【明細書】
ロクロによる陶磁器成形時に利用するこの土伸ばし棒は、複数角をもち数ミリの太さからハンドル付きの形状、又太く高さを欲する時に使う固定板を要する土伸ばし棒からなり、装置には固定板を受ける腕とそれを支える梁から出来ており腕を二段にすれば大物を造る時にぶれる心配がなく、腕は取り外しができロクロ成形時以外はストッパ−付きのキャスタ−が着いており移動して乾燥棚としても使用できる。土伸ばし棒は回転ロクロ上の粘土を土ころしした、円錐形の中に入れ、手泥と水を差しながら両手の掌で締め、上方に伸ばせば従来の手で伸ばす方法より均一の厚さでくるいも無く、粘土の量により充分な高さまで伸ばす事ができ、そのあと棒を引き抜き中から外に膨らませば簡単に壺、瓶などが出来る。又上面に長方形の上蓋のある容器を複数個取り付け、容器の底部に複数の穴を空けスポンジに水を含ませ上蓋を適時に押せば水が適量差す事ができ、粘土を滑らかに上に押し伸ばす事が出来る。この土伸ばし棒は樹脂、合成樹脂、アルミ、ステンレス、合板、木材から形成し複数角の形状であり急須の口や手を造る時は細い土伸ばし棒を使えば従来の技法より簡単に早く出来る。又水平を保つ為土伸ばし棒の上面と側面に水平器を装備している。この土伸ばし棒の底部の角には複数角の角度を付ける事により円柱の粘土の底部の角に丸みを持たせ肉厚を保つ事ができ壺、傘立て、大鉢、大皿の成形時にヘタリを防ぐ事が出来る。又この土伸ばし棒は形状が太くなると重量が増しロクロに負荷を掛け、回転が止まる恐れがあるので土伸ばし棒の中を繰り抜いて軽く出来ている。又この土伸ばし棒は円錐に複数角を付けた土伸ばし棒もあり、円柱に伸ばした粘土の中に逆さに入れていく事により大鉢、大皿が容易に出来る利点がある。
【産業上の利用分野】
【０００１】  本発明は壺・瓶・傘立て・大鉢・大皿に適用するが比較的ロクロ成形技術の未熟な方が使用すれば飛躍的な技術の進歩を得られる事が出来る。
【背景技術】
【０００２】  従来の土伸ばしはロクロ上の粘土を回転させ、土ころしをし円錐状に伸ばし、右手指を内側から、左手の親指と人差指の付けねで挟むようにして伸ばし、両手の掌で絞るように上に伸ばしながら何度か繰り返し行っていた。しかし、それは熟練した方が出来る技であって未熟な方がそこまで到達するには相当な時間が必要である。
【発明が解決しようとする課題】
【０００３】  本発明が解決しようとする問題点は比較的大型の壺・傘立・大鉢・大皿は土ころしを正確にし均一に上に伸ばす事により、目標の型を造る工程の最大の一助となる。
【課題を解決する為の手段】
【０００４】  本発明はこの種の装置で、ロクロ上の粘土の量により土伸ばし棒の太さを変えれば容易に大きい傘立て・壺・大鉢・大皿も成形する事が出来る。
【０００５】  したがって内径の太い土伸ばし棒を使い、取り出してから再び図１３の逆土伸ばし棒を使用すれば大鉢・大皿へと作品造りが容易に移る事が出来る。
【０００６】  また、細い土伸ばし棒を使えば掛け花入・徳利・急須の手や口などが容易に造れる。
【０００７】  ハンドルで固定できる細目の土伸ばし棒の場合、相方に支えてもらい上方よりスポンジで水を差してもらえば、より一層のスムーズな伸び方をする。
【０００８】  図１２、図１５にあるように伸ばし棒の上方に上蓋付きの長方形のスポンジ箱を、取り付け、箱の底に複数個の小さな穴を開け、スポンジに水を含ませ、上蓋を時々押せば均一の水差しができ滑りが良くなり非常に滑らかな伸びが得られる。
【作用】
【０００９】  この土伸ばし棒は円柱ではなく、複数角の形状をしており、その角数が粘土との空間を作り角が外からの両手の掌の力を粘土に伝え、上に押し伸ばす作用を生む。
【実施例】
【００１０】  この発明の実施例の装置の詳細を方法の発明の構成と併せ写真１ないし写真８を参照にして説明する。写真１、２はロクロ状の粘土を土ころしをし円錐形を造り、写真３は円錐形に土伸ばし棒を入れ写真４は手どろと水を差しながら上に伸ばす行程であり、写真５は土伸ばし棒の上にスポンジを上げ水を下に差し、写真６、７は繰り返し下から上に伸ばし写真８は目安の高さまで伸ばした写真である。
【発明の効果】
【００１１】  本発明は上記の通り構成されているから陶磁器成形における高度な技術を習得していない方でも容易に大きな作品を作ることができ、また小さな細工物も出来る土伸ばし棒である。
【図面の簡単な説明】
【００１２】
【図１】土伸ばし棒装置
【図２】土伸ばし棒固定板受け腕
【図３】土伸ばし棒板受け梁
【図４】土伸ばし棒固定板
【図５】土伸ばし棒
【図６】土伸ばし棒受け梁
【図７】粘土
【図８】カメ板
【図９】回転テ−ブル
【図１０】ロクロ
【図１１】土伸ばし棒装置キャスタ−
【図１２】スポンジ受け
【図１３】逆円錐土伸ばし棒
【図１４】水平装置
【図１５】スポンジ受け装着図
【図１６】ハンドル付き土伸ばし棒
【図１７】土伸ばし棒上面水平装着図
【図１】
2006218843.tif 000003
【図２】
2006218843.tif 000004
【図２】
2006218843.tif 000005
【図４】
2006218843.tif 000006
【図５】
2006218843.tif 000007
2006218843.tif 000008
【図１３】
2006218843.tif 000009
【図１６】
2006218843.tif 000010
【図１７】
2006218843.tif 000011
【手続補正書】
【提出日】平成17年6月27日(2005.6.27)
【手続補正１】
【補正対象書類名】明細書
【補正対象項目名】００１２
【補正方法】変更
【補正の内容】
【００１２】
【図１】土伸ばし棒装置
【図２】スポンジ受け
【図３】スポンジ受け装着図
【図４】逆円錐土伸ばし棒
【図５】ハンドル付き土伸ばし棒
【図６】土伸ばし棒上面水平装置図
【手続補正２】
【補正対象書類名】図面
【補正対象項目名】全図
【補正方法】変更
【補正の内容】
【図１】
2006218843.tif 000012
【図２】
2006218843.tif 000013
【図３】
2006218843.tif 000014
【図４】
2006218843.tif 000015
【図５】
2006218843.tif 000016
【図６】
2006218843.tif 000017